(57)【要約】【課題】  毎週録画予約情報を光ディスクに書き込んでいる状態において、同じ時間帯の１回限りの別の番組を録画したい場合でも、毎週録画予約の設定を解除することなく、１回限りの別の番組を録画可能とする。【解決手段】  バックエンドＭＣＵ２２は、設定画面の毎週録画予約設定欄のみに毎週録画予約が設定されている場合には、通常通り毎週録画予約を実行する一方、設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行う。【選択図】  図１
2005347998.tif 000002
【特許請求の範囲】
【請求項１】
毎週決まった曜日の決まった時刻から決まった時間長さ分の録画を行う毎週録画予約情報をディスク状記録媒体の所定の領域に記録し、録画動作時には前記ディスク状記録媒体から読み込んだ毎週録画予約情報に基づいて毎週録画動作を開始する録画制御手段と、
前記毎週録画予約を設定するための設定画面を表示する表示手段とを備えた光ディスク装置において、
前記表示手段に表示される設定画面は、１つの番組の毎週録画予約欄が上下２段で構成され、上段が毎週録画予約の設定欄、下段が同じ曜日である特定の月日の重複する時間帯の１回限りの録画予約である単発録画予約の設定欄となっており、かつ、これら設定欄には、録画時に上書きするか否かを選択する上書き選択の項目が設けられており、
前記単発録画予約の設定時に、前記ディスク状記録媒体にすでに記録されている録画済情報の一覧を表示する表示手段をさらに備えており、
前記録画制御手段は、前記設定画面の毎週録画予約設定欄のみに毎週録画予約が設定されている場合には、通常通り毎週録画予約を実行する一方、前記設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行うとともに、前記単発録画予約の設定時に上書きが選択されている場合において、前記録画済情報一覧画面から上書きしてもよい１または複数の番組がユーザによって選択されている場合には、前記毎週録画予約の録画領域に、これら選択された全番組の録画領域を加えた領域を考慮して録画時のビットレートを決定し、このビットレートで上書きによる録画動作を行うことを特徴とする光ディスク装置。
【請求項２】
録画予約情報をディスク状記録媒体の所定の領域に記録し、録画動作時には前記ディスク状記録媒体から読み込んだ録画予約情報に基づいて録画動作を開始する録画制御手段を有する光ディスク装置において、
前記録画制御手段は、前記録画予約情報として毎週決まった曜日の決まった時刻から決まった時間長さ分の録画を行う毎週録画予約が設定されている場合において、同じ曜日である特定の月日の重複する時間帯に単発の録画予約が別途設定された場合には、毎週録画予約を解除することなく、その単発録画予約を優先して録画動作を行うことを特徴とする光ディスク装置。
【請求項３】
毎週決まった曜日の決まった時刻から決まった時間長さ分の録画を行う毎週録画予約情報をディスク状記録媒体の所定の領域に記録し、録画動作時には前記ディスク状記録媒体から読み込んだ毎週録画予約情報に基づいて毎週録画動作を開始する録画制御手段と、
前記毎週録画予約を設定するための設定画面を表示する表示手段とを備えた光ディスク装置において、
前記表示手段に表示される設定画面は、１つの番組の毎週録画予約欄が上下２段で構成され、上段が毎週録画予約の設定欄、下段が同じ曜日である特定の月日の重複する時間帯の１回限りの録画予約である単発録画予約の設定欄となっており、
前記録画制御手段は、前記設定画面の毎週録画予約設定欄のみに毎週録画予約が設定されている場合には、通常通り毎週録画予約を実行する一方、前記設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行うことを特徴とする光ディスク装置。
【請求項４】
前記設定画面の１つの番組の毎週録画予約欄には、録画時に上書きするか否かを選択する上書き選択の項目が設けられており、
前記録画制御手段は、単発録画予約時に上書きが選択されている場合には、ビットレートを可変することで録画時間を考慮した上書きによる録画動作を行うことを特徴とする請求項３に記載の光ディスク装置。
【発明の詳細な説明】
【技術分野】
【０００１】
本発明は、録画予約情報をディスク状記録媒体の所定の領域に記録し、録画動作時には前記ディスク状記録媒体から読み込んだ録画予約情報に基づいて録画動作を開始する録画制御手段を有する光ディスク装置に関する。
【背景技術】
【０００２】
近時、ディスク状記録媒体である例えばＤＶＤ等を取り扱う光ディスク装置が急速に普及している。
【０００３】
この種の光ディスク装置では、従来のビデオカセットレコーダ等と同じように、タイマー予約による録画予約機能が設けられているが、この録画予約機能の使い勝手を向上させるべく、録画予約情報をディスク状記録媒体の所定の領域に記録し、録画動作時にはディスク状記録媒体から読み込んだ録画予約情報に基づいて録画動作を行うように構成された光ディスク装置が提案されている（例えば、特許文献１，２参照）。
【０００４】
これらの光ディスク装置によれば、光ディスク毎に書き込む予約情報を変えておくことで、光ディスクを入れ替えるだけで予約自体も変更することが可能となる。
【特許文献１】特開平６−２０３８２号公報
【特許文献２】特開平１１−３３９３７６号公報
【発明の開示】
【発明が解決しようとする課題】
【０００５】
このように、上記従来の光ディスク装置では、光ディスクに録画予約情報を記録するようになっており、光ディスクを入れ替えるだけで予約自体も変更することができるため、ユーザにとっては使い勝手の良いものとなっている。
【０００６】
しかし、予約したい番組が重複しているような場合に、これらの録画予約情報をそのまま光ディスクに記録すると、これを読み込んだ装置側では処理することができず、誤動作の原因となるといった問題があった。
【０００７】
また、毎週決まった曜日の決まった時刻から決まった時間長さ分の録画を行う毎週録画予約情報をディスク状記録媒体に記録している場合において、同じ時間帯に例えば１回限りのスペシャル番組の放送があり、そのスペシャル番組を録画したい場合には、毎週録画予約を一旦取り消して、スペシャル番組の録画予約を行い、スペシャル番組を録画し終わった後に再び、元の毎週録画予約の再設定を行わなければならず、ユーザにとっては必ずしも使い勝手の良いものではなかった。
【０００８】
なお、上記特許文献２には、ディスクに記録されたタイマー予約情報と装置自体に登録されたタイマー予約情報とが重複した場合の調整手法が開示されているが、これはあくまでディスクに記録されたタイマー予約情報と装置自体に登録されたタイマー予約情報との調整であり、同じディスクに記録された重複したタイマー予約情報の調整手法ではない。
【０００９】
本発明はかかる録画予約状況に鑑みて創案されたもので、その目的は、毎週録画予約情報を光ディスクに書き込んでいる状態において、同じ時間帯の１回限りの別の番組を録画したい場合でも、毎週録画予約の設定を解除することなく、１回限りの別の番組を録画することができるようにした光ディスク装置を提供することにある。
【課題を解決するための手段】
【００１０】
上記課題を解決するため、本発明の光ディスク装置は、録画予約情報をディスク状記録媒体の所定の領域に記録し、録画動作時には前記ディスク状記録媒体から読み込んだ録画予約情報に基づいて録画動作を開始する録画制御手段を有する光ディスク装置において、前記録画制御手段は、前記録画予約情報として毎週決まった曜日の決まった時刻から決まった時間長さ分の録画を行う毎週録画予約が設定されている場合において、同じ曜日である特定の月日の重複する時間帯に単発の録画予約が別途設定された場合には、毎週録画予約を解除することなく、その単発録画予約を優先して録画動作を行うことを特徴としている。
【００１１】
このような特徴を有する本発明によれば、毎週録画予約と同じ曜日である特定の月日の重複する時間帯に１回限りの録画予約（単発録画予約）を別途設定したい場合でも、毎週録画予約を解除することなく、１回限りの録画予約を設定することが可能となる。この場合、録画制御手段は、録画予約された１回限りの番組を録画するときには、毎週録画予約を無効として扱い、１回限りの番組の録画を終了すると、再び毎週録画予約を有効として扱うようになっている。これにより、以後は再び毎週録画予約が有効となり、毎週、同じ番組の録画が行われることになる。
【００１２】
また、本発明の光ディスク装置は、毎週決まった曜日の決まった時刻から決まった時間長さ分の録画を行う毎週録画予約情報をディスク状記録媒体の所定の領域に記録し、録画動作時には前記ディスク状記録媒体から読み込んだ毎週録画予約情報に基づいて毎週録画動作を開始する録画制御手段と、前記毎週録画予約を設定するための設定画面を表示する表示手段とを備えた光ディスク装置において、前記表示手段に表示される設定画面は、１つの番組の毎週録画予約欄が上下２段で構成され、上段が毎週録画予約の設定欄、下段が同じ曜日である特定の月日の重複する時間帯の１回限りの録画予約である単発録画予約の設定欄となっており、前記録画制御手段は、前記設定画面の毎週録画予約設定欄のみに毎週録画予約が設定されている場合には、通常通り毎週録画予約を実行する一方、前記設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行うことを特徴としている。
【００１３】
このような特徴を有する本発明によれば、録画予約の設定画面には、上段に毎週録画予約の設定欄、下段に単発録画予約の設定欄が設けられているので、ユーザは、単発録画予約を、重複する毎週録画予約画面を利用して設定することができる。この場合、録画制御手段は、設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行うように構成したので、毎週録画予約と単発録画予約とをうまく調整しながら、毎週録画予約を解除することなく、単発録画予約を行うことができる。
【００１４】
この場合、前記設定画面の１つの番組の毎週録画予約欄には、録画時に上書きするか否かを選択する上書き選択の項目が設けられており、前記録画制御手段は、単発録画予約時に上書きが選択されている場合には、ビットレートを可変することで録画時間を考慮した上書きによる録画動作を行うように構成してもよい。このように構成することで、例えば毎週録画予約が１時間番組であり、例えばスペシャル番組である単発録画予約が２時間番組であったとしても、録画制御手段では、ビットレートを可変することで光ディスク上の同じ記録領域に録画時間の異なるスペシャル番組を録画することが可能となる。
【００１５】
この場合さらに、前記単発録画予約の設定時に、前記ディスク状記録媒体にすでに記録されている録画済情報の一覧を表示する表示手段をさらに備えており、前記録画制御手段は、前記設定画面の毎週録画予約設定欄に毎週録画予約が設定されており、かつ、単発録画予約設定欄に単発録画予約が設定されている場合には、毎週録画予約を解除することなく、その単発録画予約を優先して録画動作を行うとともに、前記単発録画予約の設定時に上書きが選択されている場合において、前記録画済情報一覧画面から上書きしてもよい１または複数の番組がユーザによって選択されている場合には、前記毎週録画予約の録画領域に、これら選択された全番組の録画領域を加えた領域を考慮して録画時のビットレートを決定し、このビットレートで上書きによる録画動作を行うように構成してもよい。
【００１６】
このような構成とすると、ユーザが、単発の録画予約として例えば２時間番組を設定し、その画質を落とすことなく録画したいと考えた場合には、録画済情報一覧画面から上書きしてもよい１または複数の番組を選択する。例えば、毎週録画予約が１時間番組である場合に、録画済情報一覧画面から上書きしてもよい別の１時間番組を１つ（または、３０分番組を２つ等）選択する。これにより、２時間分の上書き記録領域が確保されるので、録画制御手段は、毎週録画予約時のビットレートと同じビットレートで２時間番組を上書き録画することになる。
【発明を実施するための最良の形態】
【００１７】
以下、本発明の実施形態について、図面を参照して説明する。
【００１８】
図１は、本発明の光ディスク装置の一実施の形態であるＤＶＤレコーダの回路ブロック図である。
【００１９】
図１において、ディスクモータ２によって回転駆動される光ディスク１から情報を検出する光ピックアップ３の出力は、ＲＦアンプ４を介して、ＡＴＡＰＩコントローラ５及び信号処理プロセッサ１２に導かれている。また、信号処理プロセッサ１２には、ＲＦアンプ４によって増幅され、ＤＶＤ規格に従ってデコードされたデータ（ここではＭＰＥＧ（Motion Picture Expent Group）により圧縮されている）を一旦格納するトラックバッファＲＡＭ（ＳＤＲＡＭ等）７ａが接続されている。これらＲＦアンプ４及び信号処理プロセッサ１２は、フロントエンドＭＣＵ８によって制御される。
【００２０】
サーボ処理回路６は、フロントエンドＭＣＵ８から信号処理プロセッサ１２を経由して送受信されるコマンドや制御データに従って、光ピックアップ３に対するフォーカシングサーボやトラッキングサーボのサーボ制御を行うとともに、光ピックアップ３全体を光ディスク１の半径方向に移動させるためのスレッドモータ９の制御や、光ディスク１を装填する図示しないトレイを駆動するトレイモータ１０の制御を行う。
【００２１】
また、信号処理プロセッサ１２は、バッファＲＡＭ７ｂが接続されたＡＴＡＰＩコントローラ５を介してＡ／Ｖ（Audio / Video）デコーダ１１に接続されており、Ａ／Ｖデコーダ１１の出力は、ビデオ出力端子１３ａ，１３ｂを有するビデオエンコーダ１３と、オーディオ出力端子１４ａを有するＤ／Ａコンバータ１４とに接続されている。Ａ／Ｖデコーダ１１は、トラックバッファＲＡＭ７ａから読み出されたＭＰＥＧにより圧縮されているデータを伸長する。また、Ａ／Ｖデコーダ１１には、伸長したデジタルのデータを数画面分格納するためのＡ／ＶデコードＲＡＭ（ＳＤＲＡＭ等）１５が接続されている。なお、ビデオ出力端子１３ａ，１３ｂ及びオーディオ出力端子１４ａは、図示しないテレビ受像機の対応する入力端子に接続される。
【００２２】
また、ビデオ入力端子１８ａ，１８ｂを有するビデオデコーダ１８の出力、及びオーディオ入力端子１９ａを有するＡ／Ｖコンバータ１６の出力は、ＴＢＣ／ＦＳ（Time Base Corrector/Frame Synchronize）回路１７を介してＡ／Ｖエンコーダ１６に接続されており、Ａ／Ｖエンコーダ１６の出力がＡＴＡＰＩコントローラ５を介して信号処理プロセッサ１２に接続されている。また、ビデオデコーダ１８及びＡ／Ｄコンバータ１９には、アンテナ端子２１ａを有するチューナ回路２１の各出力が導かれている。Ａ／Ｖエンコーダ１６は、Ａ／ＶエンコードＲＡＭ２０に格納されているデータをＭＰＥＧにより圧縮してＡＴＡＰＩコントローラ５に出力する。
【００２３】
また、ＡＴＡＰＩコントローラ５、Ａ／Ｖデコーダ１１及びＡ／Ｖエンコーダ１６は、バックエンドＭＣＵ２２に接続されており、バックエンドＭＣＵ２２には、ワークＲＡＭ２３とフラッシュメモリ２４とが接続されている。
【００２４】
また、バックエンドＭＣＵ２２には、ＬＣＤ等からなるフロントパネル２６の表示制御を行うフロントパネルコントローラ２５が接続されており、フロントパネルコントローラ２５には、キー入力部２７の出力が導かれている。また、フロントパネルコントローラ２５には、リモコン２８からの送信信号を受信する受信部（図示省略）が設けられている。
【００２５】
ここで、上記構成のＤＶＤレコーダにおける記録時の動作と再生時の動作について簡単に説明する。ただし、記録時の動作については、チューナ回路２１から信号が入力された場合について説明する。
【００２６】
まず、記録時の動作について説明する。
【００２７】
アンテナ端子２１ａを介して受信された番組放送信号は、チューナ回路２１においてアナログのビデオ信号とオーディオ信号とに分離される。アナログのビデオ信号は、ビデオデコーダ１８でアナログ信号からデジタル信号に変換され、ＴＢＣ／ＦＳ回路１７に入力される。同様に、アナログのオーディオ信号は、Ａ／Ｄコンバータ１９でアナログ信号からデジタル信号に変換され、ＴＢＣ／ＦＳ回路１７に入力される。ＴＢＣ／ＦＳ回路１７では、これら入力信号の時間軸補正やフレーム同期などの処理を行ってＡ／Ｖエンコーダ１６に転送する。Ａ／Ｖエンコーダ１６では、ビデオデータのＭＰＥＧによるデータ圧縮、オーディオデータの圧縮、ＮＶ＿ＰＣＫ（ＶＲモードではＲＤＩ＿ＰＣＫ）の付加などのストリームを生成する。ストリームデータは、Ａ／ＶエンコードＲＡＭ２０に一旦蓄えられた後、再び読み出されてＡＴＡＰＩコントローラ５に順次転送される。ＡＴＡＰＩコントローラ５では、転送されてきたビデオデータをバッファＲＡＭ７ｂに順次蓄える。このとき、バックエンドＭＣＵ２２でＮＶ＿ＰＣＫ（ＶＲモードではＲＤＩ＿ＰＣＫ）の必要情報を付加する。この後、バックエンドＭＣＵ２２による書き込み指示を待つ。
【００２８】
バッファＲＡＭ７ｂに蓄えられたデータは、バックエンドＭＣＵ２２による書き込み指示を受け取ったフロントエンドＭＣＵ８が、バッファＲＡＭ７ｂに蓄えられたデータを読み出し、ＡＴＡＰＩコントローラ５を経由して信号処理プロセッサ１２のバッファＲＡＭ７ａに一旦蓄えられた後、サーボ回路６や光ピックアップ３を制御して、光ディスク１にデータの記録を行う。
【００２９】
次に、再生時の動作について説明する。
【００３０】
バックエンドＭＣＵ２２による読み出し指示を受け取ったフロントエンドＭＣＵ８は、サーボ処理回路６を介して光ピックアップ３を制御する。これにより、光ディスク１に記録されたデータが光ピックアップ３で検出され、ＲＦアンプ４で波形整形と増幅とが行われた後、信号処理プロセッサ１２を介してＡＴＡＰＩコントローラ５のバッファＲＡＭ７ｂに順次蓄えられる。
【００３１】
そして、バッファＲＡＭ７ｂに蓄えられたデータは、Ａ／Ｖデコーダ１１に転送され、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログ信号のビデオ信号に変換されてビデオ出力端子１３ａ，１３ｂから図示しないテレビジョン受像機のモニタ画面に出力される。
【００３２】
一方、オーディオデータについては、ビデオデータと同様にバッファＲＡＭ７ｂからＡ／Ｖデコーダ１１に転送され、Ａ／ＶデコードＲＡＭ１５に一旦蓄えられた後、再び読み出されてＤ／Ａコンバータ１４に順次転送され、ここでアナログのオーディオ信号に変換された後、オーディオ出力端子１４ａを介して図示しないテレビジョン受像機の内蔵マイクから出力される。
【００３３】
上記構成のＤＶＤレコーダにおいて、本実施形態では、録画予約時の処理動作に特徴を有するものである。すなわち、録画予約情報を光ディスク１の所定の領域（ユーザデータ領域）に記録するとともに、この光ディスク１が装置本体に装填されたとき、光ディスク１のユーザデータ領域に記録されている録画予約情報を読み込んで例えばワークＲＡＭ２３に一旦格納し、この格納した録画予約情報に基づいてバックエンドＭＣＵ２２が録画動作を制御するようになっている。このような制御は、装填された光ディスク１が装置本体から排出されるまで維持される。そして、光ディスク１が排出された場合には、その時点でワークＲＡＭ２３に格納していた録画予約情報を消去する。
【００３４】
ここで、光ディスク１には、毎週決まった曜日の決まった時刻から決まった時間長さ分の録画を行う毎週録画予約情報が記録可能となっており、毎週録画予約を設定するための設定画面が図示しないテレビ受像機等の画面に表示されるようになっている。
【００３５】
この設定画面は、図２に示すように、１つの番組の毎週録画予約欄４１が上下２段で構成され、上段が毎週録画予約の設定欄４１１、下段が同じ曜日である特定の月日の重複する時間帯の１回限りの録画予約である単発録画予約の設定欄４１２となっており、各設定欄４１１，４１２は、録画月日（曜日）、録画開始時刻、録画終了時刻、録画チャンネル、録画スピード、上書き選択の有無の各項目からなっている。
【００３６】
この設定画面を利用することにより、ユーザは、１回限りのスペシャル番組等の単発録画予約を、重複する毎週録画予約画面を利用して設定することができる。
【００３７】
この場合、バックエンドＭＣＵ２２は、設定画面の毎週録画予約設定欄４１１に毎週録画予約が設定されており、かつ、単発録画予約設定欄４１２に単発録画予約が設定されている場合には、毎週録画予約を解除することなく、その単発録画予約を優先して録画動作を行う。
【００３８】
例えば、図２に示すように、毎週録画予約設定欄４１１の録画月日（曜日）の項目に「金曜日」、録画開始時刻の項目に「１９：００」、録画終了時刻の項目に「２０：００」、録画チャンネルの項目に「１ＣＨ」、録画スピードの項目に「標準」、上書き選択の項目に「上書き有り」が設定されており、単発録画予約設定欄４１２の録画月日（曜日）の項目に「５月７日（金）」、録画開始時刻の項目に「１９：００」、録画終了時刻の項目に「２１：００」、録画チャンネルの項目に「１０ＣＨ」、上書き選択の項目に「上書き有り」が設定されている場合、バックエンドＭＣＵ２２は、毎週金曜日の１９：００になると、標準モードで１ＣＨの番組を上書きで１時間録画する動作を行うことになる。そして、このような毎週録画の繰り返しの中で、録画月日が５月７日の金曜日となった場合には、単発録画予約設定欄４１２に設定されている条件に従って録画動作を行う。このとき、バックエンドＭＣＵ２２では、毎週録画予約の設定についてはこれを解除することなく無効として扱い、単発録画予約を優先的に実行する。そして、単発録画予約終了後は、再び毎週録画予約の設定に従って録画を継続することになる。すなわち、次の週の５月１４日の金曜日は、毎週録画予約の設定従って１９：００から２０：００の１時間、１ＣＨの番組を上書きで録画することになる。このように、バックエンドＭＣＵ２２では、毎週録画予約と単発録画予約とを内部でうまく調整しながら、毎週録画予約を解除することなく、単発録画予約を行うようになっている。
【００３９】
この場合、設定画面の１つの番組の毎週録画予約欄には、録画時に上書きするか否かを選択する上書き選択の項目が設けられており、上記実施形態では、この上書き選択の項目に「上書き有り」が設定されている。この場合、単発録画を行うと、２時間分のデータを１時間分のデータが記録されている領域に記録する必要があるため、バックエンドＭＣＵ２２は、記録するデータのビットレートを可変する（具体的には、ビットレートを１／２にする）ことで録画時間、すなわち記録領域を考慮した上書きによる録画動作を行うようになっている。これにより、光ディスク１上の同じ記録領域に、録画時間の異なる２時間のスペシャル番組等を録画することが可能となる。
【００４０】
この場合、１時間分の記録領域に２時間分のデータを記録するためにビットレートを低くして記録を行っているが、これではスペシャル番組を再生したときの画質が低下することになる。そこで、本実施形態では、単発録画予約の設定時に、装填されている光ディスク１にすでに記録されている録画済情報の一覧を図示しないテレビ受像機等の画面に表示し、この録画済情報一覧画面から上書きしてもよい１または複数の番組を選択可能な構成としている。
【００４１】
図３は、録画済情報一覧画面の表示例を示している。この録画済情報一覧画面は、録画番号、タイトル名、録画日時、録画時間（分）、上書き選択の各項目からなっている。
【００４２】
ここで、ユーザが、単発録画予約時に、この録画済情報一覧画面を表示して所望する録画番組の上書き選択の項目にチェックを入れることで、チェックされた録画番組の記録領域を、単発録画予約の追加記録領域として確保できるようになっている。例えば、Ｎｏ２の録画番組（タイトル名：ＢＢＢＢ）にチェックを入れる（図中、「有」となっている）ことで、毎週録画予約の１時間分の記録領域に加えて、このＮｏ２の録画番組の１時間（６０分）分の記録領域が、単発録画予約の記録領域として確保されることになる。
【００４３】
バックエンドＭＣＵ２２は、毎週録画予約の録画領域に、この選択された録画番組の録画領域を加えた領域を考慮して、単発録画予約による録画時のビットレートを決定する。この例では、毎週録画予約時のビットレートと同じビットレートに決定される。そして、単発録画予約による録画時には、この決定したビットレートで毎週録画予約による記録領域とＮｏ２の録画番組の記録領域とに、２時間のスペシャル番組を録画する。これにより、２時間のスペシャル番組を、画質を低下させることなる録画することができる。
【図面の簡単な説明】
【００４４】
【図１】本発明の光ディスク装置の一実施の形態であるＤＶＤレコーダの回路ブロック図である。
【図２】毎週録画予約を設定するための設定画面の表示例を示す説明図である。
【図３】録画済情報一覧画面の表示例を示す説明図である。
【符号の説明】
【００４５】
１  光ディスク
３  ピックアップ
４  ＲＦアンプ
５  ＡＴＡＰＩコントローラ
６  サーボ処理回路
７ａ  トラックバッファＲＡＭ
７ｂ  バッファＲＡＭ
８  フロントエンドＭＣＵ
１１  Ａ／Ｖデコーダ
１２  信号処理プロセッサ
１３  ビデオエンコーダ
１４  Ｄ／Ａコンバータ
１５  Ａ／ＶデコードＲＡＭ
１６  Ａ／Ｖエンコーダ
１７  ＴＢＣ／ＦＳ回路
１８  ビデオデコーダ
１９  Ａ／Ｄコンバータ
２０  Ａ／ＶエンコードＲＡＭ
２１  チューナ回路
２２  バックエンドＭＣＵ
２３  ワークＲＡＭ
２４  フラッシュメモリ
２５  フロントパネルコントローラ
２８  リモコン
【図１】
2005347998.tif 000003
【図２】
2005347998.tif 000004
【図３】
2005347998.tif 000005